(57)【要約】【課題】不慮の配電線路事故に対して、迅速かつ正確な配電線路事故速報の作成を支援し、関係者に対する適切な対応およびそれにともなう作業者の負担の軽減を図ること。【解決手段】配電線路事故速報作成支援装置１０２は、表示制御部３０１が、表示装置３０２を制御して、配電線路事故が発生した際に入力する配電線路事故に関する情報の入力欄（図５の符号５００）、および、配電線路事故が発生した際に準備する書類の印刷を指示する複数のボタン（図６の符号６０１、６０３、６０９）を、表示画面３０３に表示し、受付部３０４が、入力欄への配電線路事故に関する情報の入力、および、ボタンの押下を受け付け、作成部３０５が、受付部３０４により押下を受け付けられたボタンごとに対応する複数種類の書類を、入力された配電線路事故に関する情報に基づいて作成し、印刷制御部３０６が、印刷装置３０７を制御し、作成部３０５により作成された書類を印刷する。【選択図】図３
2020187490.tif 000002
【特許請求の範囲】
【請求項１】
表示装置を制御して、配電線路事故が発生した際に入力する配電線路事故に関する情報の入力欄、および、配電線路事故が発生した際に準備する書類の印刷を指示する複数のボタンを、表示画面に表示する表示制御部と、
前記入力欄への配電線路事故に関する情報の入力、および、前記ボタンの押下を受け付ける受付部と、
前記受付部により押下を受け付けられた前記ボタンごとに対応する複数種類の書類を、入力された配電線路事故に関する情報に基づいて作成する作成部と、
印刷装置を制御して、前記作成部により作成された書類を印刷する印刷制御部と、
を備えたことを特徴とする配電線路事故速報作成支援装置。
【請求項２】
表示装置を制御して、配電線路事故が発生した際に入力する配電線路事故に関する情報の入力欄、および、配電線路事故が発生した際におこなう報告作業を指示するボタンを表示画面に表示する表示制御部と、
前記入力欄への配電線路事故に関する情報の入力、および、前記ボタンの押下を受け付ける受付部と、
前記受付部により前記ボタンの押下が受け付けられると、電子メールアプリケーションを起動させて、前記受付部により押下を受け付けられた前記ボタンに対応する電子メールの本文に関する情報を、入力された配電線路事故に関する情報に基づいて作成する作成部と、
を備え、
前記表示制御部は、前記表示装置を制御して、前記作成部によって作成された情報を本文とした電子メール送信画面を前記表示画面に表示することを特徴とする配電線路事故速報作成支援装置。
【請求項３】
前記作成部は、前記電子メール送信画面の宛先欄に、あらかじめ定められた宛先を設定することを特徴とする請求項２に記載の配電線路事故速報作成支援装置。
【請求項４】
前記表示制御部は、各前記ボタンに対して、押下の優先順位に関する情報を表示することを特徴とする請求項１〜３のいずれか一つに記載の配電線路事故速報作成支援装置。
【請求項５】
前記受付部は、前記ボタンの押下を受け付ける際に、前記入力欄への配電線路事故に関する情報の入力が不足している場合は、当該ボタンの押下を受け付けないことを特徴とする請求項１〜４のいずれか一つに記載の配電線路事故速報作成支援装置。
【発明の詳細な説明】
【技術分野】
【０００１】
この発明は、配電線路事故の発生時に必要な配電線路事故速報の作成を支援する配電線路事故速報作成支援装置に関する。
【背景技術】
【０００２】
従来から、配電線路事故発生時には、事故復旧の対応、および、事故速報作成などの作業が必要となる。そのためには、まず、事故区間の確定をする作業がある。これは、後述する配電自動化システムにより実施することができる。
【０００３】
また、保守担当の長への連絡をする作業がある。具体的には、該当するフィーダーの高圧配電線路系統図を印刷して、ファクシミリ送信する必要がある。また、事故速報を作成する作業がある。その際、天候状況も把握する。さらに、関係個所への事故情報メール送信作業がある。
【０００４】
また、配電線路事故復旧後には、連系お客様への連絡・停電実績連絡票の作成などが必要となる。また、連系お客様への並列可能連絡や、停電実績連絡票の作成などの作業がある。また、電力小売り自由化に対応した、新規参入事業者の方のネットワーク使用（託送）に関する窓口になる「ネットワークサービスセンター」へ新電力お客様の事故情報連絡票作成および報告をする作業がある。
【０００５】
このように、配電線路事故時には、事故復旧やお客様への連絡など様々な対応が必要となる。
【０００６】
関連する技術として、たとえば、電気事故の状況を入力し、電気事故に関するデータに基づいて、入力された電気事故の報告方針を決定し、その報告方針に基づいて事故速報データベースからデータを抽出し、その報告方針に基づいて事故報告先データベースからデータを抽出し、その電気事故の事故報告書を作成する電気事故報告支援システムに関する技術がある（たとえば、下記特許文献１を参照。）。
【０００７】
また、関連する技術として、たとえば、事故の連絡を受け付けて事故内容を纏めた事故報告書を作成し、その事故報告書のうち所定の内容について隠蔽し、その事故報告書を送信する先を隠蔽の要否に係る属性と関連付けて記憶した送信先データベースに隠蔽が必要と記憶されている送信先には隠蔽処理済みの事故報告書を、送信先データベースに隠蔽が不要と記憶されている送信先には隠蔽処理なしの事故報告書を、それぞれ送信する事故情報送信装置に関する技術がある（たとえば、下記特許文献２を参照。）。
【０００８】
また、関連する技術として、たとえば、巡視完了範囲情報や、故障箇所情報、改修依頼箇所情報、改修箇所情報等と、配電線路系統図情報とに基づいて表示情報を生成して表示させ、事故停電範囲であり、巡視が完了し、かつ、改修済みである箇所を抽出し、これらのうち、さらに送電している区間に隣接している箇所を抽出し、この箇所に隣接した送電区間が、順送方向であれば、送電可能と判定し、逆送方向であれば、電流値が許容範囲内であるときに、送電可能と判定する復旧状況確認支援装置に関する技術がある（たとえば、下記特許文献３を参照。）。
【先行技術文献】
【特許文献】
【０００９】
【特許文献１】特開２００６−１７２１２６号公報
【特許文献２】特開２００８−５２３５号公報
【特許文献３】特開２０１２−１３３５２９号公報
【発明の概要】
【発明が解決しようとする課題】
【００１０】
しかしながら、特に、勤務時間外においては当直者が１名で対応する場合があり、多くの報告帳票を個別に抽出・作成しなければならず、多くの時間を要している。また、書類（帳票）ごとに抽出項目が異なるため、適切に抽出して、作成するにも、さらに多くの時間を要している。そのため、迅速な報告業務に支障を来すとともに、作業者の負荷が増大するという問題点があった。
【００１１】
この発明は、上述した従来技術による問題点を解消するため、不慮の配電線路事故に対して、迅速かつ正確な配電線路事故速報の作成を支援し、関係者に対する適切な対応およびそれにともなう作業者の負担の軽減を図ることを目的とする。
【課題を解決するための手段】
【００１２】
上述した課題を解決し、目的を達成するため、この発明にかかる配電線路事故速報作成支援装置は、表示装置を制御して、配電線路事故が発生した際に入力する配電線路事故に関する情報の入力欄、および、配電線路事故が発生した際に準備する書類の印刷を指示する複数のボタンを、表示画面に表示する表示制御部と、前記入力欄への配電線路事故に関する情報の入力、および、前記ボタンの押下を受け付ける受付部と、前記受付部により押下を受け付けられた前記ボタンごとに対応する複数種類の書類を、入力された配線事故に関する情報に基づいて作成する作成部と、印刷装置を制御して、前記作成部により作成された書類を印刷する印刷制御部と、を備えたことを特徴とする。
【００１３】
また、この発明にかかる配電線路事故速報作成支援装置は、表示装置を制御して、配電線路事故が発生した際に入力する配電線路事故に関する情報の入力欄、および、配電線路事故が発生した際におこなう報告作業を指示するボタンを表示画面に表示する表示制御部と、前記入力欄への配電線路事故に関する情報の入力、および、前記ボタンの押下を受け付ける受付部と、前記受付部により前記ボタンの押下が受け付けられると、電子メールアプリケーションを起動させて、前記受付部により押下を受け付けられた前記ボタンに対応する電子メールの本文に関する情報を、入力された配線事故に関する情報に基づいて作成する作成部と、を備え、前記表示制御部が、前記表示装置を制御して、前記作成部によって作成された情報を本文とした電子メール送信画面を前記表示画面に表示することを特徴とする。
【００１４】
また、この発明にかかる配電線路事故速報作成支援装置は、上記の発明において、前記作成部が、前記電子メール送信画面の宛先欄に、あらかじめ定められた宛先を設定することを特徴とする。
【００１５】
また、この発明にかかる配電線路事故速報作成支援装置は、上記の発明において、前記表示制御部が、各前記ボタンに対して、押下の優先順位に関する情報を表示することを特徴とする。
【００１６】
また、この発明にかかる配電線路事故速報作成支援装置は、上記の発明において、前記受付部が、前記ボタンの押下を受け付ける際に、前記入力欄への配電線路事故に関する情報の入力が不足している場合は、当該ボタンの押下を受け付けないことを特徴とする。
【発明の効果】
【００１７】
この発明にかかる配電線路事故速報作成支援装置によれば、不慮の配電線路事故に対して、迅速かつ正確な配電線路事故速報の作成を支援し、関係者に対する適切な対応およびそれにともなう作業者の負担を軽減することができるという効果を奏する。
【図面の簡単な説明】
【００１８】
【図１】この発明にかかる実施の形態の配電線路事故速報作成支援装置を含む全体システムの概要の一例を示す説明図である。
【図２】この発明にかかる実施の形態の配電線路事故速報作成支援装置のハードウエア構成の一例を示すブロック図である。
【図３】この発明にかかる実施の形態の配電線路事故速報作成支援装置の機能的構成の一例を示すブロック図である。
【図４】表示装置の表示画面に表示される操作画面の一例を示す説明図である。
【図５】表示装置の表示画面に表示される入力欄の一例を示す説明図である。
【図６】表示装置の表示画面に表示される各種ボタンの一例を示す説明図である。
【図７】電子メールの送信画面の一例を示す説明図である。
【図８】この発明にかかる実施の形態の配電線路事故速報作成支援装置の処理の手順の一例を示すフローチャートである。
【発明を実施するための形態】
【００１９】
以下に添付図面を参照して、この発明にかかる配電線路事故速報作成支援装置の好適な実施の形態を詳細に説明する。
【００２０】
（全体システムの構成）
まず、配電線路事故の発生時に必要な配電線路事故速報の作成を支援する配電線路事故速報作成支援装置を含む全体システム１００の構成について説明する。図１は、この発明にかかる実施の形態の配電線路事故速報作成支援装置を含む全体システムの概要の一例を示す説明図である。
【００２１】
図１において、全体システム１００は、運転制御センターサーバー１０１と、この発明にかかる実施の形態の配電線路事故速報作成支援装置である営業所端末装置１０２（１０２ａ〜１０２ｄ）と、お客様端末装置１０３（１０３ａ〜１０３ｃ）と、を備える。運転制御センターサーバー１０１と、この発明にかかる実施の形態の配電線路事故速報作成支援装置である営業所端末装置１０２（１０２ａ〜１０２ｄ）と、お客様端末装置１０３（１０３ａ〜１０３ｃ）とが、それぞれ、インターネットや社内ＬＡＮなどのネットワーク１１０によって接続されている。
【００２２】
運転制御センターサーバー１０１は、各営業所を管理する総括営業所が制御するサーバーであり、各営業所における各種情報を管理・運用する。このように、ネットワーク（通信回路）で接続された運転制御センターサーバー１０１と各営業所端末装置１０２などによって、配電自動化システムを構築することができる。
【００２３】
配電自動化システムは、配電線の運用状態を常時監視しており、配電線の故障により停電が発生すると自動的に故障箇所を特定し、故障区間以外の配電線に電気を送ることができる。
【００２４】
具体的には、配電線路事故停電時には、変電所や変電所内変圧器の容量等を計算し、事故区間を除いた健全な区間への復旧操作手順を自動作成し、遠隔開閉器操作を自動実行することができる。また、事故復旧後は事故前の常時系統に戻す操作手順の自動作成をおこなうことができる。
【００２５】
このように、配電自動化システムは、停電時間を大幅に短縮するとともに、配電線工事の開閉器操作を自動的におこなっていくことができる。
【００２６】
営業所端末装置１０２（１０２ａ〜１０２ｄ）は、各営業所に設けられている情報端末装置である。営業所端末装置１０２は、配電線路事故が発生した際に、関係各所に配布する複数種類の書類を作成し、印刷する。
【００２７】
また、営業所端末装置１０２は、配電線路事故が発生した際に、所定の関係各所への報告作業をおこなう。具体的には、配電線路事故に関する情報を電子メール文を作成して、当該電子メールを関係各所へ送信する。
【００２８】
お客様端末装置１０３（１０３ａ、１０３ｂ、１０３ｃ）は、お客様（顧客）が所有する情報端末装置である。顧客には、個人顧客および法人（企業）顧客が含まれる。法人顧客は、多くの電力を消費する工場などを含んでいる。お客様端末装置１０３は、具体的には、たとえばＰＣ（パーソナルコンピュータ）などの情報処理装置であり、有線または無線通信機能を備えている。
【００２９】
お客様端末装置１０３は、所定のアプリケーションにより、Ｗｅｂページを閲覧したり、電子メールの送受信をおこなうことができる。また、図示を省略するプリンタにより、Ｗｅｂページや電子メールを印刷することができる。
【００３０】
（サーバーのハードウエア構成）
つぎに、この発明にかかる実施の形態の配電線路事故速報作成支援装置の構成について説明する。図２は、この発明にかかる実施の形態の配電線路事故速報作成支援装置のハードウエア構成の一例を示すブロック図である。
【００３１】
図２において、配電線路事故速報作成支援装置（営業所端末装置）１０２は、ＣＰＵ（Ｃｅｎｔｒａｌ  Ｐｒｏｃｅｓｓｉｎｇ  Ｕｎｉｔ）２０１と、メモリ２０２と、通信インタフェース（通信Ｉ／Ｆ）２０３と、入力装置２０４と、ディスプレイ２０５と、プリンタ２０６と、を備えている。コンピュータが備える各部２０１〜２０６は、バス２００によってそれぞれ接続されている。
【００３２】
ＣＰＵ２０１は、コンピュータの全体の制御をつかさどる。メモリ２０２は、ブートプログラムなどのプログラムや各種データなどを記憶している。また、メモリ２０２は、ＣＰＵ２０１のワークエリアとして使用される。メモリ２０２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などによって実現することができる。
【００３３】
通信Ｉ／Ｆ２０３は、ネットワーク１１０に接続され、コンピュータの内部と外部装置との有線あるいは無線の情報通信をつかさどる。より具体的には、ＬＡＮケーブル、無線ＬＡＮ、Ｗｉ−Ｆｉ、移動通信規格（３Ｇ、４Ｇ、５Ｇ）、ＰＨＳ回線などによる通信であってもよい。各種データの取得や、Ｗｅｂページへの掲載や、電子メールの送受信も、通信Ｉ／Ｆ２０３を介しておこなわれる。
【００３４】
入力装置２０４は、配電線路事故速報作成支援装置の各種操作指示をおこなうほか、各種データの入力をおこなう。入力装置２０４は、各種スイッチやボタンを備えた操作パネルのほか、キーボード、マウスなどのポインティングデバイス、タッチパネルであってもよい。
【００３５】
また、ディスプレイ２０５は、文字、画像、図形などのほか、入力欄や各種ボタンなどを表示する液晶ディスプレイ、有機ＥＬディスプレイなどである。また、プリンタ２０６は、データの印刷をおこなうレーザプリンタ、インクジェットプリンタ、インクドットプリンタなどの各種プリンタである。モノクロプリンタでもよく、カラープリンタでもよい。
【００３６】
なお、図示および詳細な説明は省略するが、運転制御センターサーバー１０１、お客様端末装置１０３（１０３ａ〜１０３ｃ）においても、配電線路事故速報作成支援装置である営業所端末装置１０２（１０２ａ〜１０２ｄ）と同様のハードウエア構成を備えている。
【００３７】
（配電線路事故速報作成支援装置の機能的構成）
図３は、この発明にかかる実施の形態の配電線路事故速報作成支援装置の機能的構成の一例を示すブロック図である。図３において、配電線路事故速報作成支援装置（営業所端末装置）１０２は、表示制御部３０１と、受付部３０４と、作成部３０５と、印刷制御部３０６と、を備える構成となっている。また、配電線路事故速報作成支援装置１０２は、表示装置３０２と、印刷装置３０７と、を備えている、あるいは表示装置３０２と、印刷装置３０７と、に接続されている。
【００３８】
表示制御部３０１は、表示装置３０２を制御して、配電線路事故が発生した際に入力する配電線路事故に関する情報の入力欄（図５に示す入力欄５００）、および、配電線路事故が発生した際に準備する書類の印刷を指示する複数のボタン（図６に示すボタン６０１、６０３、６０９）を、表示画面３０３に表示する。表示制御部３０１は、具体的には、たとえば、図２に示したＣＰＵ２０１、メモリ２０２などによって、その機能を実現することができる。また、表示装置３０２は、図２に示したディスプレイ２０５などによってその機能を実現することができる。
【００３９】
受付部３０４は、入力欄５００への配電線路事故に関する情報の入力、および、ボタン６０１、６０３、６０９の押下を受け付ける。受付部３０４は、具体的には、たとえば、図２に示したＣＰＵ２０１、メモリ２０２、入力装置２０４などによって、その機能を実現することができる。
【００４０】
作成部３０５は、受付部３０４により押下を受け付けたボタン６０１、６０３、６０９ごとに対応する複数種類の書類を、入力された配電線路事故に関する情報に基づいて作成する。作成部３０５は、具体的には、たとえば、図２に示したＣＰＵ２０１、メモリ２０２などによって、その機能を実現することができる。
【００４１】
印刷制御部３０６は、印刷装置３０７を制御して、作成部３０５により作成された書類を印刷する。印刷制御部３０６は、具体的には、たとえば、図２に示したＣＰＵ２０１、メモリ２０２などによってその機能を実現することができる。また、印刷装置３０７は、図２に示したプリンタ２０６などによって、その機能を実現することができる。
【００４２】
また、表示制御部３０１は、表示装置３０２を制御して、配電線路事故が発生した際におこなう報告作業を指示するボタンを表示画面３０３に表示することができる。そして、作成部３０５は、受付部３０４により、報告作業を指示するボタン押下が受け付けられると、電子メールアプリケーションを起動させて、当該ボタンに対応する電子メールの本文に関する情報を、入力された配電線路事故に関する情報に基づいて作成することができる。
【００４３】
表示制御部３０１は、表示装置３０２を制御して、作成部３０５によって作成された情報を本文とした、電子メール送信画面７００を表示画面３０３に表示することができる。
【００４４】
また、作成部３０５は、電子メール送信画面７００の宛先欄に、あらかじめ定められた宛先を設定することができる。
【００４５】
また、表示制御部３０１は、各ボタンに対して、押下の優先順位に関する情報を表示することができる。
【００４６】
受付部３０４は、ボタンの押下を受け付ける際に、入力欄５００への配電線路事故に関する情報の入力が不足している場合は、ボタン６０１、６０３、６０９の押下を受け付けないようにすることができる。したがって、情報の入力が不足している場合は、書類を診察することはできない。作業者は、入力欄５００を確認し、不足している情報を、入力欄５００に入力する。
【００４７】
（操作画面例）
図４は、表示装置の表示画面に表示される操作画面の一例を示す説明図である。図４においては、表示装置３０２の表示画面３０３に操作画面４００が表示されている状態を示している。配電線路事故が発生した際には、作業員が、まず、この操作画面４００を開く。
【００４８】
操作画面４００の上方の向かって左側には、共通項目の入力欄を備えている。入力欄の詳細な内容については、後述する図５において説明する。また、操作画面４００の上方の向かって右側には、各種ボタンを設けている。各種ボタンの詳細な内容については、後述する図６において説明する。
【００４９】
また、入力欄の下側には、（Ａ地区の）高圧配電線路事故速報の内容が表示される。これは、入力欄に必要なデータを入力することによって、自動的に、高圧配電線路事故速報の各欄に適宜入力される。さらに、自動的に入力されていない項目については、作業員の手動にて入力することができる。
【００５０】
また、各種ボタンの下側には、事故復旧チェックシートの内容が表示される。この事故復旧チェックシートには、必要項目をキーボードなどを用いて入力する。これによって、作業の予定、作業の履歴などが一目でわかるので、おこなうべき作業の誤認やし忘れをより確実に防止することができる。
【００５１】
（入力欄例）
図５は、表示装置の表示画面に表示される入力欄の一例を示す説明図である。図５において、入力欄５００には、配電線路事故において、必要事項を入力する項目が設けられている。たとえば、『フィーダー』は、変電所の回線名を示している。
【００５２】
入力欄５００において、各項目は、図示を省略するが、プルダウンメニューが採用されている。したがって、カーソルを、所望の項目欄に移動させると、項目に入力すべき情報の候補が一覧表示される。作業者は、一覧表示された情報の候補から、入力すべき情報を選択し、指定するだけで、当該項目欄への情報入力が完了する。したがって、作業者は、キーボードを用いて直接文字を入力する必要がなく、その分、より迅速に入力作業をおこなうことができる。ただし、数字などは、直接、キーボードやテンキーから入力するようにしてもよい。
【００５３】
また、入力欄５００には、左上側に、丸数字の『１』が表示されている。これは、操作画面４００において、この入力欄５００への入力作業を一番目におこなうことが示唆されている。この入力欄５００に必要な情報を入力しないままで、印刷ボタンを操作しても、必要な情報が記載された書面が印刷されないことになる。
【００５４】
また、複数の書類において、共通する項目については、この入力欄５００において入力を済ませれば、それぞれの書類において、その都度同じ内容を入力する手間を省くことができる。したがって、この入力欄５００への入力が、まず一番初めにおこなう作業であることを示す丸数字の『１』が表示される。
【００５５】
（各種ボタン例）
図６は、表示装置の表示画面に表示される各種ボタンの一例を示す説明図である。図６においては、『お客様リスト印刷』ボタン６０１と、『フィーダー別系統図印刷』ボタン６０２と、『事故速報印刷』ボタン６０３と、『事故速報印刷（手書用）』ボタン６０４と、『Ｂ地区事故速報転記』ボタン６０５と、『Ｃ地区事故速報転記』ボタン６０６と、『配電線路事故実績』ボタン６０７と、『広島県防災気象情報』ボタン６０８と、『一括印刷』ボタン６０９の各ボタンを示している。
【００５６】
『お客様リスト印刷』ボタン６０１を押下すると、具体的には、たとえば、「連系お客様一覧」、「新電力お客様一覧」、「高圧お客様一覧」の３種類の書類が作成され印刷される。「連系お客様一覧」には、配電線路事故に関連するお客様であって、太陽光発電をおこなっているお客様の一覧が示される。また、「新電力お客様一覧」には、配電線路事故に関連するお客様であって、別会社から電気を買っているお客様の一覧が示される。また、「高圧お客様一覧」には、配電線路事故に関連するお客様であって、工場など、消費電力が大きいお客様の一覧が示される。このように、『お客様リスト印刷』ボタン６０１を一度押下するだけで、３種類の書類が作成され、印刷される。
【００５７】
『フィーダー別系統図印刷』ボタン６０２を押下すると、具体的には、たとえば、フィーダー（変電所の回線名）別に管理されている系統図のうち、配電線路事故に関連するフィーダーの系統図に関する書類が印刷される。
【００５８】
『事故速報印刷』ボタン６０３を押下すると、具体的には、たとえば、「高圧配電線路事故速報」、「解列実績連絡票」、「新電力事故情報連絡票」の３種類の書類が作成され印刷される。「高圧配電線路事故速報」には、事故の原因、復旧状況を含む、事故に関してお客様などに対して伝えるべき連絡の内容が示される。「解列実績連絡票」には、自家発電装置を系統連系で運用している場合に、それを系統から切り離した実績に関する連絡の内容が示される。「新電力事故情報連絡票」には、別会社から電気を買っているお客様に対して伝えるべき連絡の内容が示される。このように、『事故速報印刷』ボタン６０３を一度押下するだけで、３種類の書類が作成され、印刷される。
【００５９】
『事故速報印刷（手書用）』ボタン６０４を押下すると、具体的には、たとえば手書き用の事故報告に関する書類が印刷される。作業者は、印刷された書類に必要事項を手書きで記入することができる。
【００６０】
『Ｂ地区事故速報転記』ボタン６０５を押下すると、Ａ地区とエリアをまたぐＢ地区の営業所の事故速報に、必要な情報が転記されるようになっている。したがって、Ｂ地区の営業所の作業者は、Ａ地区の事故速報の内容と同じ内容部分を改めて作成する必要がない。『Ｃ地区事故速報転記』ボタン６０６も、『Ｂ地区事故速報転記』ボタン６０５と同様である。
【００６１】
『配電線路事故実績』ボタン６０７を押下すると、電子メールアプリケーションが起動し、電子メールの本文に関する情報が、入力された配線事故に関する情報に基づいて作成される。そして、作成された情報を本文とした、図７に示す電子メール送信画面７００が表示画面３０３に表示される。
【００６２】
『広島県防災気象情報』ボタン６０８を押下すると、インターネットなどのネットワークを介して取得した防災気象情報が表示される。入力欄の『天候』、『異常気象等』、『気温』、『温度』、『風速』の各項目欄には、この防災気象情報の内容を参照して、情報を入力することができる。
【００６３】
『一括印刷』ボタン６０９を押下すると、「連系お客様一覧」、「新電力お客様一覧」、「高圧お客様一覧」の３種類の書類、「フィーダー別系統図」に関する書類、「高圧配電線路事故速報」、「解列実績連絡票」、「新電力事故情報連絡票」の３種類の書類の合計７種類の書類が一括して印刷される。
【００６４】
すなわち、『お客様リスト印刷』ボタン６０１、『フィーダー別系統図印刷』ボタン６０２、『事故速報印刷』ボタン６０３の三つのボタンをそれぞれ押下する代わりに、『一括印刷』ボタン６０９を１回押下するだけで、配電線路事故が発生した際に準備する必要があるすべての書類を印刷することができる。これにより、より迅速に書類の作成・印刷処理をおこなうことができ、必要な書類の印刷し忘れも防止することができる。
【００６５】
また、『フィーダー別系統図印刷』ボタン６０２には、丸数字の『２』が表示されている。これは、まず、フィーダー別系統図を印刷することを示唆している。また、『お客様リスト印刷』ボタン６０１に、丸数字の『３』が、『事故速報印刷』ボタン６０３に、丸数字の『４』が、『配電線路事故実績』ボタン６０７に、丸数字の『５』が、『広島県防災気象情報』ボタン６０８に、丸数字の『６』が、それぞれ表示されている。
【００６６】
これらは、この数字の順序で、作業を進めることを示唆している。そうすることで、より効率的な処理が可能となり、作業のし忘れも確実に防止することができる。具体的には、たとえば、フィーダー別系統図の印刷を他の書類に優先させて印刷することを示しており、また、気象情報の取得および入力欄５００への入力は、各書類の印刷の後でもよいことを示している。
【００６７】
また、ボタン６０４、６０５、６０６には、丸数字の番号は付されていないので、今回の配電線路事故では、不要なボタンであることを示唆している。したがって、配電線路事故の状況に応じて、これらのボタン６０４、６０５、６０６を含め、順番を変化させるようにしてもよい。
【００６８】
（電子メールの送信画面例）
図７は、電子メールの送信画面の一例を示す説明図である。図７に示す電子メール送信画面７００は、図６に示した『配電線路事故実績』ボタン６０７が押下されると、自動的に表示される。
【００６９】
図７において、電子メール送信画面７００の本文の表示欄７０１には、入力欄５００によって入力された情報に基づいて、連絡内容が記載されている。送信メールのタイトル７０２も同様である。作業者は、これらの内容を見て、過不足や間違いを確認するだけでよい。修正は、キーボードなどを用いて容易におこなうことができる。
【００７０】
また、電子メール送信画面７００の宛先欄７０３には、配電線路事故の状況からあらかじめ定められた宛先を自動的に設定することができる。作業員が手動にて、宛先を設定するようにしてもよい。すべての確認後、『送信』ボタン７０４を押下することによって、当該電子メールの送信が完了する。
【００７１】
このように、『配電線路事故実績』ボタン６０７が押下されてから、電子メールの完了まで、通常の電子メールの作成・送信に比べて、きわめて短い時間でおこなうことができる。また、作業者の負担も飛躍的に軽減することができる。また、作業員の手作業による電子メールの作成・送信に比べて、電子メールの内容の正確性も向上することができる。
【００７２】
（配電線路事故速報作成支援装置の処理の手順）
つぎに、この発明にかかる実施の形態の配電線路事故速報作成支援装置の処理の手順について説明する。図８は、この発明にかかる実施の形態の配電線路事故速報作成支援装置の処理の手順の一例を示すフローチャートである。
【００７３】
図８のフローチャートにおいて、配電線路事故速報作成支援装置１０２は、操作画面（たとえば図４に示した操作画面４００）の表示指示があったか否かを判断する（ステップＳ８０１）。操作画面の表示指示は、入力装置２０４などによっておこなわれる。ここで、操作画面の表示指示があるのを待って（ステップＳ８０１：Ｎｏ）、操作画面の表示指示があった場合（ステップＳ８０１：Ｙｅｓ）は、当該操作画面を表示する（ステップＳ８０２）。
【００７４】
つぎに、表示された操作画面における入力欄にデータの入力があったか否かを判断する（ステップＳ８０３）。ここで、データの入力があった場合（ステップＳ８０３：Ｙｅｓ）は、入力があったデータを受け付ける（ステップＳ８０４）。その後、ステップＳ８０５へ移行する。ステップＳ８０３において、入力欄にデータの入力がない場合（ステップＳ８０３：Ｎｏ）は、何もせずに、ステップＳ８０５へ移行する。
【００７５】
ステップＳ８０５において、印刷ボタンが押下されたか否かを判断する（ステップＳ８０５）。ここで、印刷ボタンが押下されない場合（ステップＳ８０５：Ｎｏ）は、何もせずに、ステップＳ８０９へ移行する。
【００７６】
一方、ステップＳ８０５において、印刷ボタンが押下された場合（ステップＳ８０５：Ｙｅｓ）は、入力欄において入力されるべきデータに不足があるか否かを判断する（ステップＳ８０６）。ここで、不足がある場合（ステップＳ８０６：Ｙｅｓ）は、ステップＳ８０３へ戻る。ステップＳ８０３へ戻る際には、入力欄において入力されるべきデータに不足がある旨を表示画面において通知するようにしてもよい。
【００７７】
ステップＳ８０６において、不足がない場合（ステップＳ８０６：Ｎｏ）は、入力欄に入力されたデータに基づいて、押下された印刷ボタンに対応づけられた書類の作成をおこない（ステップＳ８０７）、作成した書類の印刷をおこなう（ステップＳ８０８）。その後、ステップＳ８０９へ移行する。
【００７８】
ステップＳ８０９において、報告作業ボタンが押下されたか否かを判断する（ステップＳ８０９）。ここで、報告作業ボタンが押下されない場合（ステップＳ８０９：Ｎｏ）は、何もせずに、ステップＳ８１４へ移行する。
【００７９】
一方、ステップＳ８０９において、報告作業ボタンが押下された場合（ステップＳ８０９：Ｙｅｓ）は、入力欄において入力されるべきデータに不足があるか否かを判断する（ステップＳ８１０）。ここで、不足がある場合（ステップＳ８１０：Ｙｅｓ）は、ステップＳ８０３へ戻る。ステップＳ８０３へ戻る際には、入力欄において入力されるべきデータに不足がある旨を表示画面において通知するようにしてもよい。
【００８０】
ステップＳ８１０において、不足がない場合（ステップＳ８１０：Ｎｏ）は、電子メールアプリケーションを起動する（ステップＳ８１１）。つぎに、入力欄に入力されたデータに基づいて、電子メールのメール本文を作成する（ステップＳ８１２）。そして、送信メールを開いて、作成されたメール本文を、その送信メールに貼り付ける（ステップＳ８１３）。その後、ステップＳ８１４へ移行する。
【００８１】
ステップＳ８１４において、作業終了の指示があったか否かを判断する（ステップＳ８１４）。ここで、作業終了の指示がない場合（ステップＳ８１４：Ｎｏ）は、ステップＳ８０３へ戻る。一方、作業終了の指示があった場合（ステップＳ８１４：Ｙｅｓ）は、一連の処理を終了する。
【００８２】
このように、配電線路事故速報作成支援装置１０２によって、必要書類の印刷および電子メールの送信を効率的におこなうことができる。そして、配電線路事故発生時に必要な帳票類の作成を一括でおこなえるため、大幅な時間短縮が可能となる。また、担当者ごとのムラがなく、より正確で客観的な対応をとることができる。
【００８３】
以上説明したように、この発明にかかる実施の形態の配電線路事故速報作成支援装置１０２は、表示制御部３０１が、表示装置３０２を制御して、配電線路事故が発生した際に入力する配電線路事故に関する情報の入力欄５００、および、配電線路事故が発生した際に準備する書類の印刷を指示する複数のボタン６０１、６０３、６０９を、表示画面３０３に表示し、受付部３０４が、入力欄５００への配電線路事故に関する情報の入力、および、ボタン６０１、６０３、６０９の押下を受け付け、作成部３０５が、受付部３０４により押下を受け付けられたボタン６０１、６０３、６０９ごとに対応する複数種類の書類を、入力された配電線路事故に関する情報に基づいて作成し、印刷制御部３０６が、印刷装置３０７を制御して、作成部３０５により作成された書類を印刷する。
【００８４】
これにより、当直時間中で限られた人数で対応などの状況であっても、入力項目を選択し、一括出力・メール送信ボタンを押すだけの簡易な操作により、配電線路事故時の処理を迅速かつ確実に遂行することができる。特に、事後発生の報告という迅速性が要求される状況下において、効率よく対応できるという作用効果を奏する。
【００８５】
また、この発明にかかる実施の形態の配電線路事故速報作成支援装置１０２は、表示制御部３０１が、表示装置３０２を制御して、配電線路事故が発生した際に入力する配電線路事故に関する情報の入力欄５００、および、配電線路事故が発生した際におこなう報告作業を指示するボタン６０７を表示画面３０３に表示し、受付部３０４が、入力欄５００への配電線路事故に関する情報の入力、および、ボタン６０７の押下を受け付け、作成部３０５が、受付部３０４によりボタン６０７の押下が受け付けられると、電子メールアプリケーションを起動させて、受付部３０４により押下を受け付けられたボタン６０７に対応する電子メールの本文に関する情報を、入力された配電線路事故に関する情報に基づいて作成し、表示制御部３０１が、表示装置３０２を制御して、作成部３０５によって作成された情報を本文とした電子メール送信画面７００を表示画面３０３に表示する。
【００８６】
これにより、電子メールによる報告業務を簡易化することができるとともに、作業者の手入力による電子メールの作成よりも、より正確に配電線路事故に関する情報を伝達することができる。
【００８７】
また、この発明にかかる実施の形態の配電線路事故速報作成支援装置１０２は、作成部３０５が、電子メール送信画面７００の宛先欄に、あらかじめ定められた宛先を設定するので、送信先を誤る虞れがない。送信先を誤ることによって、情報が伝わらないという問題を確実に回避することができる。
【００８８】
また、この発明にかかる実施の形態の配電線路事故速報作成支援装置１０２は、表示制御部３０１が、各ボタン６０１〜６０９に対して、押下の優先順位に関する情報を表示するので、作業の手順を間違えたり、し忘れたりすることを確実に回避することができる。また、番号に従って順番に作業することができるので、緊急時の対応において、落ち着いた対応をすることができる。
【００８９】
また、この発明にかかる実施の形態の配電線路事故速報作成支援装置１０２は、受付部３０４が、ボタン６０１〜６０９の押下を受け付ける際に、入力欄５００への配電線路事故に関する情報の入力が不足している場合は、当該ボタン６０１〜６０９の押下を受け付けないので、情報が不足した状態での報告を回避でき、情報の受け手がより正確に配電線路事故の状況などを把握することができる。
【００９０】
このように、不慮の配電線路事故に対して、迅速かつ正確な配電線路事故速報の作成を支援し、関係者に対する適切な対応およびそれにともなう作業者の負担を軽減することができる。
【産業上の利用可能性】
【００９１】
以上のように、この発明にかかる配電線路事故速報作成支援装置は、配電線路事故の発生時に必要な配電線路事故速報の作成を支援する配電線路事故速報作成支援装置に有用であり、特に、不慮の配電線路事故に対して、迅速かつ正確な配電線路事故速報の作成を支援する配電線路事故速報作成支援装置に適している。
【符号の説明】
【００９２】
１００  全体システム
１０１  運転制御センターサーバー
１０２（１０２ａ、１０２ｂ、１０２ｃ、１０２ｄ）  配電線路事故速報作成支援装置（営業所端末装置）
１０３（１０３ａ、１０３ｂ、１０３ｃ）  お客様端末装置
１１０  ネットワーク
３０１  表示制御部
３０２  表示装置
３０３  表示画面
３０４  受付部
３０５  作成部
３０６  印刷制御部
３０７  印刷装置
４００  操作画面
５００  入力欄
６０１〜６０９  ボタン
７００  電子メール送信画面
【図１】
2020187490.tif 000003
【図２】
2020187490.tif 000004
【図３】
2020187490.tif 000005
【図４】
2020187490.tif 000006
【図５】
2020187490.tif 000007
【図６】
2020187490.tif 000008
【図７】
2020187490.tif 000009
【図８】
2020187490.tif 000010